(57)【要約】【課題】セパレート便器に洗浄便座を適用した場合においても、用便後に臀部を洗浄した汚水が前記便器の投入口から便槽内に投入されることを防止し、水分が必要以上に便槽に投入されて糞尿中の糞と尿のバランスが崩れ、糞尿を含む菌床が有効に発酵できなくなるという問題を解消したセパレート便器用シャッタ付き洗浄便座を提供する。【解決手段】便槽に付設した便器の投入口の前部に女子小用のみを分離して便槽とは別個に設けたし尿タンクに導入可能とする仕切りが設けられた、セパレート便器に使用する便座であって、該便座は前記便器の投入口を開閉するシャッタを内蔵しており、用便後に臀部を洗浄する際には前記シャッタを起動して前記便器の投入口を閉じて洗浄後の汚水を便槽とは別個に設けたし尿タンクに導入させ、洗浄が終了したのちには前記シャッタを退避させて前記便器の投入口を開くようにしたことを特徴とするセパレート便器用シャッタ付き洗浄便座。【選択図】      図４
2019208761.tif 000002
【特許請求の範囲】
【請求項１】
便槽に付設した便器の投入口の前部に女子小用のみを分離して便槽とは別個に設けたし尿タンクに導入可能とする仕切りが設けられた、セパレート便器に使用する便座であって、該便座は前記便器の投入口を開閉するシャッタを内蔵しており、用便後に臀部を洗浄する際には前記シャッタを起動して前記便器の投入口を閉じて洗浄後の汚水を便槽とは別個に設けたし尿タンクに導入させ、洗浄が終了したのちには前記シャッタを退避させて前記便器の投入口を開くようにしたことを特徴とするセパレート便器用シャッタ付き洗浄便座。
【請求項２】
前記便座に内臓した便器の投入口を開閉するシャッタは、前記便座の下部において便座に沿って進退する機構を備えており、用便後に臀部を洗浄する際に使用する洗浄ボタンの操作に応じて前記シャッタが起動するようにしたことを特徴とする請求項１に記載のセパレート便器用シャッタ付き洗浄便座。
【請求項３】
前記便座に内臓した便器の投入口を開閉するシャッタは、前記用便後に臀部を洗浄する際に使用する洗浄ボタンの操作に応じて、便器の投入口を開閉するために前記シャッタが作動を開始する時間と洗浄ノズルが作動する時間とにタイムラグを設けられていることを特徴とする請求項１または２に記載のセパレート便器用シャッタ付き洗浄便座。
【発明の詳細な説明】
【技術分野】
【０００１】
この発明は、一般住宅用から業務用さらに緊急時の災害対策用として広く有用なバイオトイレに関し、特に投下された糞尿を菌床（そば殻等）と撹拌する方式の便槽を備えたバイオトイレにおいて、便槽に付設した便器の投入口に女子小用のみを取出す分岐管を付設し、尿が必要以上に便槽に投入されて糞尿を含む菌床が有効に発酵できなくなることを防止するとともに、用便後の洗浄水をも女子小用のみを取出す分岐管側に排出させるようにしてより発酵機能を向上させたセパレート便器用シャッタ付き洗浄便座に関する。
【０００２】
ここで、「バイオトイレ」の用語は、「投下された糞尿を菌床（そば殻等）と撹拌する方式の便槽を備えた便所」を意味し、主に「組立て式の便所」として提供されるものの意で使用する。
【背景技術】
【０００３】
従来から工事現場等において糞尿を処理するのに、ＦＲＰ製やアルミ製のハウジング内に便器を設置し、その下部に便槽を内蔵させた簡易便所が用いられている。これらは非常にコンパクトで搬送には特に問題はないが、便槽に溜まった汚物を頻繁に処理することが必要である。
【０００４】
そのため近年、菌床中に糞尿を導き入れて、菌床及び糞尿ともども撹拌して微生物により分解処理する装置が市販されており、家庭用トイレとして、あるいは各種のイベントなどで臨時に設置される仮設トイレとして、あるいは観光地や登山者向けのものとして利用されている。このタイプのバイオトイレは、水を使わずに済むとともに臭わず、しかも糞尿の分解処理物は堆肥や土壌改良材として有効利用することができる。
【０００５】
また、上記従来の菌床を利用するタイプのバイオトイレを改良したものとして本発明者等は、天板に糞尿が入る開口部を有するとともに、Ｕ字状断面に形成した便槽と、便槽内に水平状に架設され、モータで駆動される回転軸と、この回転軸に対して所定の間隔で保持した菌床及び糞尿を撹拌する螺旋状の撹拌部と、Ｕ字状断面のステンレス製便槽の外周に積層した、便槽を所定の温度に加温する発熱線と、便槽内を換気する排気手段等とを備えたものをすでに提案している（特開２００３−４７５７３公報  特許文献１参照）。
さらに、便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成した分割構造を備えたバイオトイレを提案している（特開２００４−１００３４８公報  特許文献２参照）。
【０００６】
しかしながら上述のようなバイオトイレにおいては、特に緊急時の災害対策用として使用する場合、大勢の避難者が小便のみの用足しをする機会が多く、尿が必要以上に便槽に投入されて糞尿中の糞と尿のバランスが崩れてしまうことにより、糞尿を含む菌床が有効に発酵できなくなるという問題が発生していた。
そこで本発明者は特願２００５−１６３６５０号（特開２００６−３３４１９４号公報、引用文献３参照）を提案しており、これは投下された糞尿を菌床と撹拌する方式の便槽を備えたバイオトイレにおいて、便槽に付設した便器の投入口に女子小用のみを取出す仕切りと、この仕切り部分に分岐管を付設するとともに、分岐管から取出した女子小用を便槽とは別に配置された、し尿タンクに導入するよう構成したものである。
【先行技術文献】
【特許文献】
【０００７】
【特許文献１】特開２００３−４７５７３号公報
【特許文献２】特開２００４−１００３４８号公報
【特許文献２】特開２００６−３３４１９４号公報
【発明の概要】
【発明が解決しようとする課題】
【０００８】
しかしながら上述のようなセパレート便器に洗浄便座を適用しようとすると、用便後に臀部を洗浄した汚水が前記便器の投入口から便槽内に投入されてしまい、水分が必要以上に便槽に投入されて糞尿中の糞と尿のバランスが崩れてしまうことにより、糞尿を含む菌床が有効に発酵できなくなるという問題が再燃してしまっていた。
【０００９】
この発明は従来例の問題点を解消したものであり、上述のようなセパレート便器に洗浄便座を適用した場合においても、用便後に臀部を洗浄した汚水が前記便器の投入口から便槽内に投入されることを防止し、水分が必要以上に便槽に投入されて糞尿中の糞と尿のバランスが崩れてしまうことにより、糞尿を含む菌床が有効に発酵できなくなるという問題を解消したセパレート便器用シャッタ付き洗浄便座を提供するものである。
【課題を解決するための手段】
【００１０】
すなわち上記課題を解決するためにこの発明のセパレート便器用シャッタ付き洗浄便座は、便槽に付設した便器の投入口の前部に女子小用のみを分離して便槽とは別個に設けたし尿タンクに導入可能とする仕切りが設けられた、セパレート便器に使用する便座であって、該便座は前記便器の投入口を開閉するシャッタを内蔵しており、用便後に臀部を洗浄する際には前記シャッタを起動して前記便器の投入口を閉じて洗浄後の汚水を便槽とは別個に設けたし尿タンクに導入させ、洗浄が終了したのちには前記シャッタを退避させて前記便器の投入口を開くようにしたことを特徴とするものである。
【００１１】
この発明のセパレート便器用シャッタ付き洗浄便座において、前記便座に内臓した便器の投入口を開閉するシャッタは、前記便座の下部において便座に沿って進退する機構を備えており、用便後に臀部を洗浄する際に使用する洗浄ボタンの操作に応じて前記シャッタが起動するようにしたことをも特徴とするものである。
【００１２】
この発明のセパレート便器用シャッタ付き洗浄便座において、前記便座に内臓した便器の投入口を開閉するシャッタは、前記用便後に臀部を洗浄する際に使用する洗浄ボタンの操作に応じて、便器の投入口を開閉するために前記シャッタが作動を開始する時間と洗浄ノズルが作動する時間とにタイムラグを設けられていることをも特徴とするものである。
【発明の効果】
【００１３】
本発明は以上の構成よりなるものであり、これによれば便槽に付設した便器の投入口に女子小用のみを取出す仕切りと、この仕切り部分に分岐管を付設して糞とは別に女子小用のみを取出すことができ、しかも分岐管から取出した女子小用を便槽とは別に配置された、し尿タンクに導入することにより便槽内に必要以上の尿が導入されることはない。
【００１４】
しかも、洗浄便座を使用した場合において、用便後に臀部を洗浄する際には前記シャッタを起動して前記便器の投入口を閉じ、洗浄後の汚水を便槽とは別個に設けたし尿タンクに排出することができるので、便槽内に必要以上の水分が導入されることはない。それゆえ、長時間にわたって使用することができるとともに、施工性及び経済性を向上させたセパレート便器用シャッタ付き洗浄便座を提供できるようになった。
【００１５】
以上のような構成を備えたこの発明のセパレート便器用シャッタ付き洗浄便座においては、どのような便器にも設置することができる。したがって、ソーラーパネルや風力発電による電力さえあれば、地震や台風、大火災等の際の災害対策用として非常に有効に活用することができる。
【図面の簡単な説明】
【００１６】
【図１】この発明のセパレート便器用シャッタ付き洗浄便座の要部を示す斜視図である。
【図２】図１を反対側から見た状態の斜視図である。
【図３】シャッタのカバーを外した状態の斜視図である。
【図４】シャッタの駆動の前後を説明するための概略断面図である。
【図５】この発明のセパレート便器用シャッタ付き洗浄便座を示す平面図である。
【図６】シャッタのカバーを外した状態の平面図である。
【図７】その底面図である。
【図８】この発明のセパレート便器用シャッタ付き洗浄便座を示す側面図である。
【図９】その前面図である。
【図１０】その後面図である。
【図１１】この発明のセパレート便器用シャッタ付き洗浄便座の制御系統を示す回路図である。
【図１２】シャッタ作動用のディレイ時間設定手段（シーケンサ内トリマ）を示す概略平面図である。
【図１３】（ａ）は一般的な洗浄便座の平面図、（ｂ）はその側面図、（ｃ）はその正面図である。
【図１４】一般的な洗浄便座の操作部の説明図である。
【発明を実施するための形態】
【００１７】
この発明のセパレート便器用シャッタ付き洗浄便座は、投下された糞尿を菌床と撹拌する方式の便槽を備えたバイオトイレに好適に使用されるものである。そのようなバイオトイレには、本発明者に提案に係る特願２００５−１６３６５０号（特開２００６−３３４１９４号公報、引用文献３参照）のセパレート便器が好適に使用される。
すなわち、図５ないし図７に示すように、便槽の天板の糞尿が入る開口部に付設した便器１１の投入口１２の前部には、女子小用のみを分離する小用投入口１３が設けられており、この小用投入口１３の底部には目皿を介して分岐管が取り付けられていて、女子小用を分岐管から便槽とは別個に設けたし尿タンク（図示省略）に導入するようになっている。
し尿タンクは、バイオトイレの建屋内、例えば踊り場部分の下に設置することができる。ただ、その容量はあまり多くすることができないので、し尿タンクをバイオトイレの屋外に設置することもできる。もちろん、建屋内のし尿タンクが満タンになったときに屋外のし尿タンクに切り換える切換バルブを設けることもできる。
【００１８】
この発明のセパレート便器用シャッタ付き洗浄便座は、上記便器１１の投入口１２が、便槽の上面開口に直結していることが望ましい。こうすることによって大便が便器１１の投入口１２部分に滞留して便器を汚したり、悪臭等を防止することができる。
【００１９】
この発明のセパレート便器用シャッタ付き洗浄便座の１実施例を示す図１ないし図１０において、便槽に付設した便器１１の投入口１２の前部に女子小用のみを分離して便槽とは別個に設けたし尿タンクに導入可能とする小用投入口１３が設けられている。
このような便器１１に搭載して使用する便座２１において、該便座２１は前記便器１１の投入口１２を開閉するシャッタ２２を内蔵しており、用便後に臀部を洗浄する際には前記シャッタ２２を起動して前記便器１１の投入口１２を閉じて小用投入口１３側に投入させ、洗浄後の汚水を便槽とは別個に設けたし尿タンクに導入する。もちろん、洗浄が終了したのちには前記シャッタ２２を退避させて前記便器１１の投入口１２を開いておく。
【００２０】
この発明のセパレート便器用シャッタ付き洗浄便座において、前記便座２１に内臓した便器１１の投入口１２を開閉するシャッタ２２は、前記便座２１の下部において便座２１に沿って進退する機構を備えており、用便後に臀部を洗浄する際に使用する洗浄ボタンないしビデボタン（これらのボタンの押下げ以外にはシャッタ２２は作動しない。図１４参照）の操作に応じて前記シャッタ２２が起動するようになっている。
すなわち、図３および図４に示すように、前記シャッタ２２は前記便座２１の下部に収納されて便座２１に沿って進退するようガイドされている。他方、進退機構２３は前記便座２１の側面に沿って作動するアクチュエータからなり、伸縮アーム２３ａおよび該伸縮アーム２３ａの先端から前記シャッタ２２の後端に連結した連結用の横フレーム２３ｂ、連結板２３ｃとで構成されている。図において２４は前記進退機構２３に被せたカバーである。
このようなアクチュエータの例としてはソレノイドアクチュエータやサーボモータ、動力シリンダ、リニアアクチュエータ（リニアモータによる往復駆動装置）等を使用することができる。
【００２１】
そして常態では前記便座２１の後方に収納されている前記シャッタ２２は、前記進退機構２３を構成するアクチュエータの作動により、前記便座２１に沿って前進して前記便器１１の投入口１２を閉じる位置において停止する。これによって用便後に臀部を洗浄した汚水は、小用投入口１３側に投入される。
【００２２】
次に、この発明のセパレート便器用シャッタ付き洗浄便座において、前記便座２１に内臓した便器１１の投入口１２を開閉するシャッタ２２の作動機構には所定のタイムラグが設定できるようになっている。
すなわち、前記用便後に臀部を洗浄する際に使用する洗浄ボタン（図１４参照）の操作に応じ、あらかじめ洗浄ノズル２５が作動して臀部の大きな汚れを除去した上で、前記シャッタ２２が起動して便器１１の投入口１２を閉じ、洗浄ノズル２５で継続して洗浄するのである。なお、ビデボタンを押下げる場合にはこのようなタイムラグは不要である。
洗浄後に停止ボタンを押すと、洗浄ノズル２５が後退しながら洗浄水が徐々に停止するのに対応して、一定時間後に前記シャッタ２２が後退するようになっている。
ちなみに、図１３（ａ），（ｂ），（ｃ）は一般的な洗浄便座を示し、図１４は一般的な洗浄便座の操作部を示すものである。この発明のセパレート便器用シャッタ付き洗浄便座においても同様の操作部３１を備えており、前記用便後に臀部を洗浄する際に使用する洗浄ボタン３１ａの操作により、前記の所定のタイムラグをもって前記洗浄ノズル２５と前記シャッタ２２がそれぞれ作動するようになっている。
図１１はそのような操作部３１の回路図の例を示すものであり、洗浄水を放出するためのメインバルブ３２にはシャッタ２２制御用の電装板ＰＬＣ（プログラマブルロジックコントローラ）３３が付設されており、前記洗浄ボタン（図１４参照）の操作に応じてあらかじめ洗浄ノズル２５が作動して臀部の大きな汚れを除去した上で、前記シャッタ２２が起動して便器１１の投入口１２を閉じ、洗浄ノズル２５で継続して洗浄するように制御する。こうすることによって汚物が小用投入口１３側に投入されてしまうことが防止できる。もちろん、ビデボタンを操作する場合にはこのような配慮は不要である。
また洗浄後に停止ボタンを押すと、洗浄ノズル２５が後退しながら洗浄水が徐々に停止するのに対応して、一定時間後に前記シャッタ２２が後退して退避位置に戻るように制御する。こうすることによって洗浄ノズル２５からの放水が終わる前に前記シャッタ２２が後退して便器１１の投入口１２に余分な水分が投入されることが防止できる。
図１２はシャッタ作動用のディレイ時間設定手段（シーケンサ内トリマ）を示すものであり、各トリマ３４は１目盛１秒の設定が可能で、例えば図１２の出側をディレイ７秒設定とし、戻り側をディレイ４秒設定としたものである。もちろん、このディレイ時間設定手段による時間設定は必要に応じて適宜変更することが可能である。３５はいずれかのトリマ３４を選択するための切換スイッチである。
【００２３】
本発明は以上の構成よりなるものであり、用便後に臀部を洗浄する際には前記シャッタ２２を起動して前記便器１１の投入口１２を閉じ、洗浄後の汚水を小用投入口１３から便槽とは別個に設けたし尿タンクに排出することができるので、便槽内に必要以上の水分が導入されることはない。それゆえ、長時間にわたって使用することができるとともに、施工性及び経済性を向上させたセパレート便器用シャッタ付き洗浄便座を提供できるようになった。
【００２４】
以上のような構成を備えたこの発明のセパレート便器用シャッタ付き洗浄便座は、どのような便器にも設置することができる。したがって、ソーラーパネルや風力発電による電力さえあれば、地震や台風、大火災等の際の災害対策用として非常に有効に活用することができる。
【産業上の利用可能性】
【００２５】
以上のような構成を備えたこの発明のセパレート便器用シャッタ付き洗浄便座は、どのような場所の便器にでも設置することができ、また簡単に移設することができる。したがって、ソーラーパネルや風力発電により電力を自家調達することができ、また雨水を利用する雨水浄化装置を備えていて手洗い等の水も自家調達することができることと相まって、地震や台風、大火災等の際の災害対策用として非常に有効に活用することができる。
もちろん、一般住宅用から業務用として広く有用な常設のバイオトイレ用として利用できることはいうまでもない。
【符号の説明】
【００２６】
１１  便器
１２  投入口
１３  小用投入口
２１  便座
２２  シャッタ
２３  進退機構
２３ａ  伸縮アーム
２３ｂ  横フレーム
２３ｃ  連結板
２４  カバー
２５  洗浄ノズル
３１  操作部
３１ａ  洗浄ボタン
３２  メインバルブ
３３  電装板ＰＬＣ（プログラマブルロジックコントローラ）
３４  トリマ
３５  切換スイッチ
【図１】
2019208761.tif 000003
【図２】
2019208761.tif 000004
【図３】
2019208761.tif 000005
【図４】
2019208761.tif 000006
【図５】
2019208761.tif 000007
【図６】
2019208761.tif 000008
【図７】
2019208761.tif 000009
【図８】
2019208761.tif 000010
【図９】
2019208761.tif 000011
【図１０】
2019208761.tif 000012
【図１１】
2019208761.tif 000013
【図１２】
2019208761.tif 000014
【図１３】
2019208761.tif 000015
【図１４】
2019208761.tif 000016
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
便槽に付設した便器の投入口の前部に女子小用のみを分離して便槽とは別個に設けたし尿タンクに導入可能とする仕切りが設けられた、セパレート便器に使用する便座であって、
該便座は前記便器の投入口を開閉するシャッタを内蔵しており、
用便後に臀部を洗浄する際には前記シャッタを起動して前記便器の投入口を閉じて洗浄後の汚水を便槽とは別個に設けたし尿タンクに導入させ、
洗浄が終了したのちには前記シャッタを退避させて前記便器の投入口を開くようにしたセパレート便器用シャッタ付き洗浄便座において、
前記便座に内蔵した便器の投入口を開閉するシャッタは、前記用便後に臀部を洗浄する際に使用する洗浄ボタンの操作に応じて、便器の投入口を開閉するために前記シャッタが作動を開始する時間と洗浄ノズルが作動する時間とにタイムラグを設けられていることを特徴とするセパレート便器用シャッタ付き洗浄便座。
【請求項２】
前記便座に内蔵した便器の投入口を開閉するシャッタは、前記便座の下部において便座に沿って進退する機構を備えており、用便後に臀部を洗浄する際に使用する洗浄ボタンの操作に応じて前記シャッタが起動するようにしたことを特徴とする請求項１に記載のセパレート便器用シャッタ付き洗浄便座。
【手続補正２】
【補正対象書類名】明細書
【補正対象項目名】全文
【補正方法】変更
【補正の内容】
【発明の詳細な説明】
【技術分野】
【０００１】
この発明は、一般住宅用から業務用さらに緊急時の災害対策用として広く有用なバイオトイレに関し、特に投下された糞尿を菌床（そば殻等）と撹拌する方式の便槽を備えたバイオトイレにおいて、便槽に付設した便器の投入口に女子小用のみを取出す分岐管を付設し、尿が必要以上に便槽に投入されて糞尿を含む菌床が有効に発酵できなくなることを防止するとともに、用便後の洗浄水をも女子小用のみを取出す分岐管側に排出させるようにしてより醗酵機能を向上させたセパレート便器用シャッタ付き洗浄便座に関する。
【０００２】
ここで、「バイオトイレ」の用語は、「投下された糞尿を菌床（そば殻等）と撹拌する方式の便槽を備えた便所」を意味し、主に「組立て式の便所」として提供されるものの意で使用する。
【背景技術】
【０００３】
従来から工事現場等において糞尿を処理するのに、ＦＲＰ製やアルミ製のハウジング内に便器を設置し、その下部に便槽を内蔵させた簡易便所が用いられている。これらは非常にコンパクトで搬送には特に問題はないが、便槽に溜まった汚物を頻繁に処理することが必要である。
【０００４】
そのため近年、菌床中に糞尿を導き入れて、菌床及び糞尿ともども撹拌して微生物により分解処理する装置が市販されており、家庭用トイレとして、あるいは各種のイベントなどで臨時に設置される仮設トイレとして、あるいは観光地や登山者向けのものとして利用されている。このタイプのバイオトイレは、水を使わずに済むとともに臭わず、しかも糞尿の分解処理物は堆肥や土壌改良材として有効利用することができる。
【０００５】
また、上記従来の菌床を利用するタイプのバイオトイレを改良したものとして本発明者等は、天板に糞尿が入る開口部を有するとともに、Ｕ字状断面に形成した便槽と、便槽内に水平状に架設され、モータで駆動される回転軸と、この回転軸に対して所定の間隔で保持した菌床及び糞尿を撹拌する螺旋状の撹拌部と、Ｕ字状断面のステンレス製便槽の外周に積層した、便槽を所定の温度に加温する発熱線と、便槽内を換気する排気手段等とを備えたものをすでに提案している（特開２００３−４７５７３公報  特許文献１参照）。
さらに、便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成した分割構造を備えたバイオトイレを提案している（特開２００４−１００３４８公報  特許文献２参照）。
【０００６】
しかしながら上述のようなバイオトイレにおいては、特に緊急時の災害対策用として使用する場合、大勢の避難者が小便のみの用足しをする機会が多く、尿が必要以上に便槽に投入されて糞尿中の糞と尿のバランスが崩れてしまうことにより、糞尿を含む菌床が有効に発酵できなくなるという問題が発生していた。
そこで本発明者は特願２００５−１６３６５０号（特開２００６−３３４１９４号公報、引用文献３参照）を提案しており、これは投下された糞尿を菌床と撹拌する方式の便槽を備えたバイオトイレにおいて、便槽に付設した便器の投入口に女子小用のみを取出す仕切りと、この仕切り部分に分岐管を付設するとともに、分岐管から取出した女子小用を便槽とは別に配置された、し尿タンクに導入するよう構成したものである。
【先行技術文献】
【特許文献】
【０００７】
【特許文献１】特開２００３−４７５７３号公報
【特許文献２】特開２００４−１００３４８号公報
【特許文献２】特開２００６−３３４１９４号公報
【発明の概要】
【発明が解決しようとする課題】
【０００８】
しかしながら上述のようなセパレート便器に洗浄便座を適用しようとすると、用便後に臀部を洗浄した汚水が前記便器の投入口から便槽内に投入されてしまい、水分が必要以上に便槽に投入されて糞尿中の糞と尿のバランスが崩れてしまうことにより、糞尿を含む菌床が有効に発酵できなくなるという問題が再燃してしまっていた。
【０００９】
この発明は従来例の問題点を解消したものであり、上述のようなセパレート便器に洗浄便座を適用した場合においても、用便後に臀部を洗浄した汚水が前記便器の投入口から便槽内に投入されることを防止し、水分が必要以上に便槽に投入されて糞尿中の糞と尿のバランスが崩れてしまうことにより、糞尿を含む菌床が有効に発酵できなくなるという問題を解消したセパレート便器用シャッタ付き洗浄便座を提供するものである。
【課題を解決するための手段】
【００１０】
すなわち上記課題を解決するためにこの発明のセパレート便器用シャッタ付き洗浄便座は、便槽に付設した便器の投入口の前部に女子小用のみを分離して便槽とは別個に設けたし尿タンクに導入可能とする仕切りが設けられた、セパレート便器に使用する便座であって、該便座は前記便器の投入口を開閉するシャッタを内蔵しており、用便後に臀部を洗浄する際には前記シャッタを起動して前記便器の投入口を閉じて洗浄後の汚水を便槽とは別個に設けたし尿タンクに導入させ、洗浄が終了したのちには前記シャッタを退避させて前記便器の投入口を開くようにしたことを特徴とするものである。
【００１１】
この発明のセパレート便器用シャッタ付き洗浄便座において、前記便座に内蔵した便器の投入口を開閉するシャッタは、前記便座の下部において便座に沿って進退する機構を備えており、用便後に臀部を洗浄する際に使用する洗浄ボタンの操作に応じて前記シャッタが起動するようにしたことをも特徴とするものである。
【００１２】
この発明のセパレート便器用シャッタ付き洗浄便座において、前記便座に内蔵した便器の投入口を開閉するシャッタは、前記用便後に臀部を洗浄する際に使用する洗浄ボタンの操作に応じて、便器の投入口を開閉するために前記シャッタが作動を開始する時間と洗浄ノズルが作動する時間とにタイムラグを設けられていることをも特徴とするものである。
【発明の効果】
【００１３】
本発明は以上の構成よりなるものであり、これによれば便槽に付設した便器の投入口に女子小用のみを取出す仕切りと、この仕切り部分に分岐管を付設して糞とは別に女子小用のみを取出すことができ、しかも分岐管から取出した女子小用を便槽とは別に配置された、し尿タンクに導入することにより便槽内に必要以上の尿が導入されることはない。
【００１４】
しかも、洗浄便座を使用した場合において、用便後に臀部を洗浄する際には前記シャッタを起動して前記便器の投入口を閉じ、洗浄後の汚水を便槽とは別個に設けたし尿タンクに排出することができるので、便槽内に必要以上の水分が導入されることはない。それゆえ、長時間にわたって使用することができるとともに、施工性及び経済性を向上させたセパレート便器用シャッタ付き洗浄便座を提供できるようになった。
【００１５】
以上のような構成を備えたこの発明のセパレート便器用シャッタ付き洗浄便座においては、どのような便器にも設置することができる。したがって、ソーラーパネルや風力発電による電力さえあれば、地震や台風、大火災等の際の災害対策用として非常に有効に活用することができる。
【図面の簡単な説明】
【００１６】
【図１】この発明のセパレート便器用シャッタ付き洗浄便座の要部を示す斜視図である。
【図２】図１を反対側から見た状態の斜視図である。
【図３】シャッタのカバーを外した状態の斜視図である。
【図４】シャッタの駆動の前後を説明するための概略断面図である。
【図５】この発明のセパレート便器用シャッタ付き洗浄便座を示す平面図である。
【図６】シャッタのカバーを外した状態の平面図である。
【図７】その底面図である。
【図８】この発明のセパレート便器用シャッタ付き洗浄便座を示す側面図である。
【図９】その前面図である。
【図１０】その後面図である。
【図１１】この発明のセパレート便器用シャッタ付き洗浄便座の制御系統を示す回路図である。
【図１２】シャッタ作動用のディレイ時間設定手段（シーケンサ内トリマ）を示す概略平面図である。
【図１３】（ａ）は一般的な洗浄便座の平面図、（ｂ）はその側面図、（ｃ）はその正面図である。
【図１４】一般的な洗浄便座の操作部の説明図である。
【発明を実施するための形態】
【００１７】
この発明のセパレート便器用シャッタ付き洗浄便座は、投下された糞尿を菌床と撹拌する方式の便槽を備えたバイオトイレに好適に使用されるものである。そのようなバイオトイレには、本発明者に提案に係る特願２００５−１６３６５０号（特開２００６−３３４１９４号公報、引用文献３参照）のセパレート便器が好適に使用される。
すなわち、図５ないし図７に示すように、便槽の天板の糞尿が入る開口部に付設した便器１１の投入口１２の前部には、女子小用のみを分離する小用投入口１３が設けられており、この小用投入口１３の底部には目皿を介して分岐管が取り付けられていて、女子小用を分岐管から便槽とは別個に設けたし尿タンク（図示省略）に導入するようになっている。
し尿タンクは、バイオトイレの建屋内、例えば踊り場部分の下に設置することができる。ただ、その容量はあまり多くすることができないので、し尿タンクをバイオトイレの屋外に設置することもできる。もちろん、建屋内のし尿タンクが満タンになったときに屋外のし尿タンクに切り換える切換バルブを設けることもできる。
【００１８】
この発明のセパレート便器用シャッタ付き洗浄便座は、上記便器１１の投入口１２が、便槽の上面開口に直結していることが望ましい。こうすることによって大便が便器１１の投入口１２部分に滞留して便器を汚したり、悪臭等を防止することができる。
【００１９】
この発明のセパレート便器用シャッタ付き洗浄便座の１実施例を示す図１ないし図１０において、便槽に付設した便器１１の投入口１２の前部に女子小用のみを分離して便槽とは別個に設けたし尿タンクに導入可能とする小用投入口１３が設けられている。
このような便器１１に搭載して使用する便座２１において、該便座２１は前記便器１１の投入口１２を開閉するシャッタ２２を内蔵しており、用便後に臀部を洗浄する際には前記シャッタ２２を起動して前記便器１１の投入口１２を閉じて小用投入口１３側に投入させ、洗浄後の汚水を便槽とは別個に設けたし尿タンクに導入する。もちろん、洗浄が終了したのちには前記シャッタ２２を退避させて前記便器１１の投入口１２を開いておく。
【００２０】
この発明のセパレート便器用シャッタ付き洗浄便座において、前記便座２１に内蔵した便器１１の投入口１２を開閉するシャッタ２２は、前記便座２１の下部において便座２１に沿って進退する機構を備えており、用便後に臀部を洗浄する際に使用する洗浄ボタンないしビデボタン（これらのボタンの押下げ以外にはシャッタ２２は作動しない。図１４参照）の操作に応じて前記シャッタ２２が起動するようになっている。
すなわち、図３および図４に示すように、前記シャッタ２２は前記便座２１の下部に収納されて便座２１に沿って進退するようガイドされている。他方、進退機構２３は前記便座２１の側面に沿って作動するアクチュエータからなり、伸縮アーム２３ａおよび該伸縮アーム２３ａの先端から前記シャッタ２２の後端に連結した連結用の横フレーム２３ｂ、連結板２３ｃとで構成されている。図において２４は前記進退機構２３に被せたカバーである。
このようなアクチュエータの例としてはソレノイドアクチュエータやサーボモータ、動力シリンダ、リニアアクチュエータ（リニアモータによる往復駆動装置）等を使用することができる。
【００２１】
そして常態では前記便座２１の後方に収納されている前記シャッタ２２は、前記進退機構２３を構成するアクチュエータの作動により、前記便座２１に沿って前進して前記便器１１の投入口１２を閉じる位置において停止する。これによって用便後に臀部を洗浄した汚水は、小用投入口１３側に投入される。
【００２２】
次に、この発明のセパレート便器用シャッタ付き洗浄便座において、前記便座２１に内蔵した便器１１の投入口１２を開閉するシャッタ２２の作動機構には所定のタイムラグが設定できるようになっている。
すなわち、前記用便後に臀部を洗浄する際に使用する洗浄ボタン（図１４参照）の操作に応じ、あらかじめ洗浄ノズル２５が作動して臀部の大きな汚れを除去した上で、前記シャッタ２２が起動して便器１１の投入口１２を閉じ、洗浄ノズル２５で継続して洗浄するのである。なお、ビデボタンを押下げる場合にはこのようなタイムラグは不要である。
洗浄後に停止ボタンを押すと、洗浄ノズル２５が後退しながら洗浄水が徐々に停止するのに対応して、一定時間後に前記シャッタ２２が後退するようになっている。
ちなみに、図１３（ａ），（ｂ），（ｃ）は一般的な洗浄便座を示し、図１４は一般的な洗浄便座の操作部を示すものである。この発明のセパレート便器用シャッタ付き洗浄便座においても同様の操作部３１を備えており、前記用便後に臀部を洗浄する際に使用する洗浄ボタン３１ａの操作により、前記の所定のタイムラグをもって前記洗浄ノズル２５と前記シャッタ２２がそれぞれ作動するようになっている。
図１１はそのような操作部３１の回路図の例を示すものであり、洗浄水を放出するためのメインバルブ３２にはシャッタ２２制御用の電装板ＰＬＣ（プログラマブルロジックコントローラ）３３が付設されており、前記洗浄ボタン（図１４参照）の操作に応じてあらかじめ洗浄ノズル２５が作動して臀部の大きな汚れを除去した上で、前記シャッタ２２が起動して便器１１の投入口１２を閉じ、洗浄ノズル２５で継続して洗浄するように制御する。こうすることによって汚物が小用投入口１３側に投入されてしまうことが防止できる。もちろん、ビデボタンを操作する場合にはこのような配慮は不要である。
また洗浄後に停止ボタンを押すと、洗浄ノズル２５が後退しながら洗浄水が徐々に停止するのに対応して、一定時間後に前記シャッタ２２が後退して退避位置に戻るように制御する。こうすることによって洗浄ノズル２５からの放水が終わる前に前記シャッタ２２が後退して便器１１の投入口１２に余分な水分が投入されることが防止できる。
図１２はシャッタ作動用のディレイ時間設定手段（シーケンサ内トリマ）を示すものであり、各トリマ３４は１目盛１秒の設定が可能で、例えば図１２の出側をディレイ７秒設定とし、戻り側をディレイ４秒設定としたものである。もちろん、このディレイ時間設定手段による時間設定は必要に応じて適宜変更することが可能である。３５はいずれかのトリマ３４を選択するための切換スイッチである。
【００２３】
本発明は以上の構成よりなるものであり、用便後に臀部を洗浄する際には前記シャッタ２２を起動して前記便器１１の投入口１２を閉じ、洗浄後の汚水を小用投入口１３から便槽とは別個に設けたし尿タンクに排出することができるので、便槽内に必要以上の水分が導入されることはない。それゆえ、長時間にわたって使用することができるとともに、施工性及び経済性を向上させたセパレート便器用シャッタ付き洗浄便座を提供できるようになった。
【００２４】
以上のような構成を備えたこの発明のセパレート便器用シャッタ付き洗浄便座は、どのような便器にも設置することができる。したがって、ソーラーパネルや風力発電による電力さえあれば、地震や台風、大火災等の際の災害対策用として非常に有効に活用することができる。
【産業上の利用可能性】
【００２５】
以上のような構成を備えたこの発明のセパレート便器用シャッタ付き洗浄便座は、どのような場所の便器にでも設置することができ、また簡単に移設することができる。したがって、ソーラーパネルや風力発電により電力を自家調達することができ、また雨水を利用する雨水浄化装置を備えていて手洗い等の水も自家調達することができることと相まって、地震や台風、大火災等の際の災害対策用として非常に有効に活用することができる。
もちろん、一般住宅用から業務用として広く有用な常設のバイオトイレ用として利用できることはいうまでもない。
【符号の説明】
【００２６】
１１  便器
１２  投入口
１３  小用投入口
２１  便座
２２  シャッタ
２３  進退機構
２３ａ  伸縮アーム
２３ｂ  横フレーム
２３ｃ  連結板
２４  カバー
２５  洗浄ノズル
３１  操作部
３１ａ  洗浄ボタン
３２  メインバルブ
３３  電装板ＰＬＣ（プログラマブルロジックコントローラ）
３４  トリマ
３５  切換スイッチ